(57)【要約】  空気調和装置の室外機が有する複数の熱源側熱交換器において、デフロスト用のバイパス回路に、流入する冷媒の流量調節機構が設けられている。流量調節機構により調節される冷媒の流量は、複数の熱源側熱交換器のそれぞれの周辺環境に応じて決定される。
2017195296.tif 000002
【特許請求の範囲】
【請求項１】
圧縮機と、流路切替装置と、複数の熱源側熱交換器とを有し、これらが配管接続されている室外機と、前記室外機に接続され、対象空間の空調を行う室内機とを備える空気調和装置であって、
前記室外機は、
前記室外機の配管接続において一方は前記圧縮機の吐出側に接続され他方は前記圧縮機の吸入側に接続されている複数のバイパス回路であって、前記空気調和装置のデフロスト運転時に前記複数の熱源側熱交換器のそれぞれの下部に冷媒が流入するよう構成されている複数のバイパス回路と、
前記複数のバイパス回路にそれぞれ設けられ、前記複数のバイパス回路に流入する冷媒の流量を調節する流量調節機構とを有する空気調和装置。
【請求項２】
前記室外機は、さらに制御手段と、前記複数の熱源側熱交換器の周辺温度を検知する検知手段とを備え、
前記制御手段は、前記空気調和装置のデフロスト運転開始直後若しくはデフロスト運転開始から設定時間経過後、前記複数の熱源側熱交換器のそれぞれの前記検知手段により検知された周辺温度に基づいて前記流量調節機構を制御し、前記複数のバイパス回路に流入する冷媒の流量を調節する請求項１に記載の空気調和装置。
【請求項３】
前記流量調節機構は電子式膨張弁であり、前記制御手段は前記電子式膨張弁の開度を調節する請求項１または２に記載の空気調和装置。
【請求項４】
前記流量調節機構は毛細管であり、前記毛細管を介して前記複数のバイパス回路に流入する冷媒の流入量が前記複数の熱源側熱交換器のそれぞれで異なっている請求項１に記載の空気調和装置。
【発明の詳細な説明】
【技術分野】
【０００１】
本発明は、ビル用マルチエアコン等に適用される空気調和装置に関するものである。
【背景技術】
【０００２】
空気調和装置を冬場に暖房運転すると、熱源側の熱交換器に空気中の水蒸気が付着し、霜が生成される。熱交換器に霜が付着したままだと暖房能力の低下が起きるため、通常、暖房運転の合間に室外機でデフロスト運転を行い、熱交換器に付着した霜を溶かし、暖房能力を安定して発揮できるようにしている。【０００３】
デフロスト運転が行われると、熱交換器に発生した霜は融解し除霜水となり、熱交換器の下部へ伝わる。寒冷地においては、この除霜水の温度が低く、かつ外気温度が極めて低いため、空気調和装置でこのようなデフロスト運転が行われると、除霜水が熱交換器の下部へ伝わる際、再氷結することがある。そこで、除霜水の再氷結を防止するために、熱交換器の最下部にバイパス回路を設け、そこに高圧高温の冷媒を流入させることが行われる（特許文献１）。
【先行技術文献】
【特許文献】
【０００４】
【特許文献１】特開２００８−６４３８１号公報
【発明の概要】
【発明が解決しようとする課題】
【０００５】
ところで、ビル用マルチエアコンには複数の空気調和装置を使用することが多く、その際、空気調和装置の室外機は横に並べて、すなわち各側面を対向させた状態で設置される。複数の室外機を集中して設置する場合、隣接する装置同士の間で対向する側面の間隔はわずか数センチメートルとなる。上述のデフロスト運転のとき、空気調和装置の室外機の送風機は停止されるため、室外機には外風のみが通過することになる。従って、ビル用マルチエアコンにおいて、複数台の室外機が上述のように集中して設置されている場合、デフロスト運転時に受ける外風の影響は、各室外機同士がわずかな間隔で対向している側面よりも、前面および背面において大きい。その結果、室外機の前面および背面において、除霜水が再氷結しやすくなる。【０００６】
また、室外機の外形は全体として略直方体であることが多く、外風の影響は、各面の面積により異なってくる。さらに、上述のバイパス回路において、熱交換器のヘッダから最も遠い部位における冷媒温度は他の部位の冷媒温度に比べて低くなる。従って、再氷結を防止するためのバイパス回路の温度は１枚の熱交換器において均一とならず、排水性が悪くなりやすく、ヘッダからの距離によっては再氷結を招くことが懸念される。【０００７】
本発明は、上記のような課題を解決するためになされたものであり、複数の室外機を配置するマルチエアコンにおいて、デフロスト運転時の除霜効率を向上させると共に除霜水の再氷結を防止することを目的とする。
【課題を解決するための手段】
【０００８】
本発明に係る空気調和装置は、圧縮機と、流路切替装置と、複数の熱源側熱交換器とを有し、これらが配管接続されている室外機と、室外機に接続され、対象空間の空調を行う室内機とを備える空気調和装置であって、室外機は、室外機の配管接続において一方は圧縮機の吐出側に接続され他方は圧縮機の吸入側に接続されている複数のバイパス回路であって、空気調和装置のデフロスト運転時に複数の熱源側熱交換器のそれぞれの下部に冷媒が流入するよう構成されている複数のバイパス回路と、複数のバイパス回路にそれぞれ設けられ、複数のバイパス回路に流入する冷媒の流量を調節する流量調節機構とを有するものである。
【発明の効果】
【０００９】
本発明に係る空気調和装置によると、デフロスト運転時に複数の熱源側熱交換器の下部に冷媒が流入するよう構成された複数のバイパス回路において、バイパス回路に流れ込む冷媒の流量を調節するために流量調節機構が設けられている。従って、ビル用マルチエアコンにおいて室外機を集中して配置する場合であっても、各室外機の配置の態様に応じて流量調節機構のそれぞれを機能させることにより、デフロスト運転で発生する除霜水の再氷結を確実に防止することができる。
【図面の簡単な説明】
【００１０】
【図１】空気調和装置の冷媒回路の概略図である。
【図２】空気調和装置の暖房運転時の冷媒の流れを示す図である。
【図３】空気調和装置のデフロスト運転時の冷媒の流れを示す図である。
【図４】空気調和装置の熱源側熱交換器の概略図である。
【図５】空気調和装置のデフロスト運転時、バイパス回路用の電磁弁を開いたときの冷媒の流れを示す図である。
【図６】本発明の実施の形態１における室外機の集中設置の一例を示す図である。
【図７】本発明の実施の形態１に係る空気調和装置の冷媒回路の概略図である。
【図８】本発明の実施の形態１に係る空気調和装置の制御ブロック図である。
【図９】本発明の実施の形態２における熱源側熱交換器を上方から示す概略図である。
【図１０】本発明の実施の形態２に係る空気調和装置の冷媒回路の概略図である。
【発明を実施するための形態】
【００１１】
以下に、本発明における冷凍サイクル装置の実施の形態を図面に基づいて詳細に説明する。なお、以下に説明する実施の形態によって本発明が限定されるものではない。また、以下の図面においては各構成部材の大きさは実際の装置とは異なる場合がある。
【００１２】
図１は、空気調和装置の冷媒回路の概略図である。空気調和装置１００において、室内機１０ａ、１０ｂ、１０ｃ、および１０ｄと、室外機（熱源機）２０とは、配管Ａおよび配管Ｂで接続されている。室内機１０ａ、１０ｂ、１０ｃ、１０ｄは、並列に接続されている。配管Ａおよび配管Ｂは、冷媒（熱源側冷媒）を導通する冷媒配管である。
【００１３】
室外機２０は、圧縮機１と、四方弁等の流路切替装置２と、熱源側熱交換器３ａ、３ｂと、アキュムレーター５とが配管で接続されている。圧縮機１は、冷媒を吸入し、その冷媒を圧縮して高温高圧の状態にして冷媒回路に搬送するものであり、例えば容量制御可能なインバータ圧縮機で構成される。流路切替装置２は、暖房運転モード時における冷媒の流れと冷房運転モード時における冷媒の流れとを切り替えるものである。熱源側熱交換器３ａ、３ｂは、暖房運転モード時には蒸発器として機能し、冷房運転モード時とデフロスト運転モード時には放熱器として機能し、ファン等の送風機（図示せず）によって供給される空気と冷媒との間で熱交換を行う。熱源側熱交換器３ａ、３ｂは、室外機２０の冷媒配管において並列に接続されている。また、熱源側熱交換器３ａ、３ｂはＬ字型の外形形状を有しており、室外機２０の筐体内において全体として矩形状の枠体を形成するよう配置されている。アキュムレーター５は、圧縮機１の吸入側に設けられており、暖房運転モード時と冷房運転モード時の違いによる余剰冷媒、過渡的な運転の変化における余剰冷媒を蓄えるものである。
【００１４】
室外機２０の配管にはバイパス回路６ａ、６ｂが接続されている。室外機２０の配管において、バイパス回路６ａ、６ｂは、それぞれ、一方は圧縮機１の吐出側に接続され、他方は吸入側に接続されている。さらに、バイパス回路６ａは熱源側熱交換器３ａの下部を通るよう構成され、バイパス回路６ｂは熱源側熱交換器３ｂの下部を通るよう構成されている。また、バイパス回路６ａ、６ｂには開閉手段としての電磁弁４が配管を介して接続されている。配管内の冷媒は、電磁弁４が閉じられているとき、バイパス回路６ａ、６ｂへ流入せず、電磁弁４が開放されると、バイパス回路６ａ、６ｂへ流入する。バイパス回路６ａ、６ｂ、電磁弁４は、空気調和装置１００がデフロスト運転された後の融解した霜の再氷結の防止のために使用される。
【００１５】
室内機１０ａにおいて、利用側熱交換器（室内側熱交換器）１２ａおよび絞り装置１１ａが直列に接続されている。室内機１０ｂにおいて、利用側熱交換器１２ｂおよび絞り装置１１ｂが直列に接続されている。室内機１０ｃにおいて、利用側熱交換器１２ｃおよび絞り装置１１ｃが直列に接続されている。室内機１０ｄにおいて、利用側熱交換器１２ｄおよび絞り装置１１ｄが直列に接続されている。利用側熱交換器１２ａ、１２ｂ、１２ｃ、１２ｄは、暖房運転モード時には凝縮器、冷房運転モード時には蒸発器として機能し、ファン等の送風機（図示せず）で供給される空気と冷媒との間で熱交換を行い、空調対象空間に供給するための冷房用空気又は暖房用空気を発生させる。絞り装置１１ａ、１１ｂ、１１ｃ、１１ｄは、減圧弁や膨張弁としての機能を有しており、冷媒を減圧して膨張させるものであり、例えば、開度が可変に制御可能な電子式膨張弁で構成される。空気調和装置１００では、４台の室内機１０ａ、１０ｂ、１０ｃ、１０ｄが並列に接続されているが、これは一例であり、室内機の台数は４台には限定されない。
【００１６】
ここで、空気調和装置１００で実行される各運転モードについて説明する。
【００１７】
［暖房運転モード］
図２は、空気調和装置の暖房運転時の冷媒の流れを示す図である。図２において、暖房運転時における冷媒の流れは矢印で示されている。図２を参照しながら、室内機１０ａ、１０ｂ、１０ｃ、１０ｄの全てが駆動している場合について説明する。低温低圧のガス冷媒が圧縮機１へ吸入されると圧縮機１で圧縮され、高温高圧のガス冷媒となり、圧縮機１から吐出される。圧縮機１から吐出されたガス冷媒は、流路切替装置２および配管Ａを介して室外機２０から流出され、利用側熱交換器１２ａ、１２ｂ、１２ｃ、１２ｄに流入する。
【００１８】
利用側熱交換器１２ａ、１２ｂ、１２ｃ、１２ｄに流入した高温高圧のガス冷媒は、不図示の送風機から供給される空気と熱交換することで液冷媒となる。利用側熱交換器１２ａ、１２ｂ、１２ｃ、１２ｄは、周囲空気へ放熱し、熱交換器配管内の冷媒温度を降下させる凝縮器として機能する。利用側熱交換器１２ａ、１２ｂ、１２ｃ、１２ｄから流出した高温高圧の液冷媒は、絞り装置１１ａ、１１ｂ、１１ｃ、１１ｄで膨張、減圧され、低温低圧の気液二相冷媒となり、室内機１０ａ、１０ｂ、１０ｃ、１０ｄから流出する。室内機１０ａ、１０ｂ、１０ｃ、１０ｄから流出した冷媒は、配管Ｂを通って室外機２０へ流入する。室外機２０に流入した気液二相冷媒は、熱源側熱交換器３ａ、３ｂにおいて送風機（図示せず）によって供給される空気と熱交換することで、低温低圧のガス冷媒となる。熱源側熱交換器３ａ、３ｂは、周囲空気から吸熱し、配管内の冷媒が蒸発する蒸発器として作用する。熱源側熱交換器３ａ、３ｂから流出したガス冷媒は、室外機２０内の配管および流路切替装置２を通ってアキュムレーター５に流入する。アキュムレーター５に流入した冷媒は、液冷媒とガス冷媒に分離され、ガス冷媒は再び圧縮機１へ吸入される。
【００１９】
低外気温度下で連続で暖房運転（蒸発温度が０℃以下）をすると、熱源側熱交換器３ａ、３ｂの表面は着霜する。熱源側熱交換器３ａ、３ｂにおいて熱交換される空気に含まれる水分が、蒸発器として機能している熱源側熱交換器３ａ、３ｂの表面で結露し、外気温が低いため霜が発生するためである。熱源側熱交換器３ａ、３ｂにおける着霜量が多くなると熱抵抗が大きくなると共に、風量が低下するため、熱源側熱交換器３ａ、３ｂ内の配管温度（蒸発温度）が降下し、暖房能力を十分に発揮することができなくなる。そのため、デフロストを実行して除霜することが必要となる。
【００２０】
［デフロスト運転モード］
図３は、空気調和装置のデフロスト運転時の冷媒の流れを示す図である。図３において、デフロスト運転モード時における冷媒の流れは矢印で示されている。デフロスト運転モード時、通常の暖房運転は中断され、冷媒の循環方向は流路切替装置２によって冷房運転モード時と同じ循環方向に切り替えられる。低温低圧のガス冷媒が圧縮機１へ吸入されると圧縮機１で圧縮され、高温高圧のガス冷媒となり、圧縮機１から吐出される。圧縮機１から吐出されたガス冷媒は、流路切替装置２を通り、熱源側熱交換器３ａ、３ｂに流入する。熱源側熱交換器３ａ、３ｂに流入した高温高圧のガス冷媒は、周囲の空気と熱交換することで液冷媒となる。熱源側熱交換器３ａ、３ｂは、周囲空気へ放熱し、配管内の冷媒温度を降下させる凝縮器として機能する。従って、熱源側熱交換器３ａ、３ｂの空気中への放熱によって、熱源側熱交換器３ａ、３ｂの表面に付着した霜が融解される。このとき、熱源側熱交換器３ａ、３ｂの近傍に配設されている送風機（図示せず）は停止していることが多い。熱源側熱交換器３ａ、３ｂから流出した液冷媒は、配管Ｂを通って室内機１０ａ、１０ｂ、１０ｃ、１０ｄへ流入する。
【００２１】
室内機１０ａ、１０ｂ、１０ｃ、１０ｄへ流入した液冷媒は、絞り装置１１ａ、１１ｂ、１１ｃ、１１ｄで膨張、減圧され、低温低圧の気液二相冷媒となる。気液二相冷媒は、利用側熱交換器１２ａ、１２ｂ、１２ｃ、１２ｄで熱交換されることなく室内機１０ａ、１０ｂ、１０ｃ、１０ｄから流出する。室内機１０ａ、１０ｂ、１０ｃ、１０ｄから流出した気液二相冷媒は、配管Ａを通って再び室外機２０に流入する。室外機２０に流入した気液二相冷媒は、流路切替装置２を通り、アキュムレーター５に流入する。アキュムレーター５に流入した冷媒は、液冷媒とガス冷媒に分離され、ガス冷媒が再び圧縮機１へ吸入される。
【００２２】
［デフロスト運転中］
図４は、空気調和装置の熱源側熱交換器の概略図である。図４には熱源側熱交換器３ａを側面から見た図が示されている。図５は、空気調和装置のデフロスト運転時、バイパス回路用の電磁弁を開いたときの冷媒の流れを示す図である。熱源側熱交換器３ａは、複数のフィンに対して、ヘアピン曲げした複数の伝熱管が垂直方向に差し込まれた構造を有している。バイパス回路６ａは熱源側熱交換器３ａの下部に配設されている。熱源側熱交換器３ａは段方向に長いため、デフロスト運転後にバイパス回路６ａが配設される部分に除霜水が溜まり、再氷結することが懸念される。そこで、図５に示すように、デフロスト運転中、若しくはデフロスト運転終盤に電磁弁４を開放し、バイパス回路６ａに配管内の冷媒を流入させる。上述のように、デフロスト運転時、室外機２０の配管内の冷媒は高温高圧状態である。従って、バイパス回路６ａに冷媒を流入させることにより、熱源側熱交換器３ａの下部の加熱を強化することができる。その結果、熱源側熱交換器３ａの下部における霜の再氷結が防止される。同様に、バイパス回路６ｂは熱源側熱交換器３ｂの下部に配設されており、電磁弁４が接続される。従って、デフロスト運転の終盤に電磁弁４を開放することによりバイパス回路６ｂに高温高圧の冷媒が流入し、下部における霜の再氷結が防止される。
【００２３】
デフロスト運転は、通常、熱源側熱交換器３ａ、３ｂに設置されている温度検知手段（図示せず）の検知結果に基づいて、熱源側熱交換器３ａ、３ｂに付着したすべての霜が融解しきったことを確認されたら終了される。デフロスト運転が終了すると、流路切替装置２を切り替え、上述の暖房運転に戻る。デフロスト運転終了は、例えば、すべての霜が除かれたことに起因する熱源側熱交換器３ａ、３ｂの配管温度の上昇を確認することにより判断される。
【００２４】
デフロスト運転後の霜の再氷結を防止するために、図５に示すようにバイパス回路６ａ、６ｂを用いて冷媒を循環させる構成を有する空気調和装置１００は、設置環境の影響を検討しなければならない場合がある。ビル用マルチエアコンは、その用途から大規模な建物、施設で使用されるため、屋上に室外機を大量に設置されることが多い。本明細書では、このようなビル用マルチエアコンにおける室外機の設置を集中設置と呼ぶ。
【００２５】
図６は、本発明の実施の形態１における室外機の集中設置の一例を示す図である。図６（ａ）は、室外機の側面から集中設置の態様を示す図、図６（ｂ）〜図６（ｅ）は、室外機の上面から集中設置の態様を示す図である。図６（ｂ）〜図６（ｅ）において、各室内機は、前面が紙面の上側を向き、背面が紙面の下側を向いているものとする。また、これらの図中、矢印は風の向きを示している。
【００２６】
図６（ａ）に示されるように、集中設置では、室外機同士の左右の設置間隔が非常に狭くなることが多い。両側面に他の室外機が配置されている室外機においては、側面に隣の室外機の側面が隣接している一方、前面および背面は常に外気にさらされている。また、集中設置の両端部に配置されている室外機においては、隣に室外機が配置されている側の側面には隣の室外機の側面が隣接している一方、隣に室外機が配置されていない側の側面、前面および背面は常に外気にさらされている。従って、外気の風の向きによっては、各室外機器において風から受ける影響は異なってくる。
【００２７】
例えば、図６（ｂ）のように風が流れる場合、各室外機は前面において、他の面よりも大きく風の影響を受け、図６（ｃ）のように風が当たる場合、各室外機は背面において、他の面より大きく風の影響を受ける。また、図６（ｄ）のように風が流れる場合、図中の左端に配置された室外機は左側面において、他の面および他の室外機よりも大きく風の影響を受け、図６（ｅ）のように風が流れる場合、図中の右端に配置された室外機は右側面において、他の面および他の室外機よりも大きく風の影響を受ける。
【００２８】
通常、空気調和装置が冷房運転、暖房運転される場合、送風機を運転し、強制的に熱源側熱交換器に風を通過させるが、上述のデフロスト運転では室外機の送風機は停止される。デフロスト運転時、図６（ｂ）のように風が流れると、室外機の他の面よりも前面に外気が多く当たり、６（ｃ）のように風が流れると、室外機の他の面よりも背面に外気が多く当たる。また、デフロスト運転時、図６（ｄ）のように風が流れると、図中の左端に配置された室外機の左側面に、当該室外機の他の側面および他の室外機の各面よりも多くの外気が当たり、図６（ｅ）のように風が流れると、図中の右端に配置された室外機の右側面に、当該室外機の他の側面および他の室外機の各面よりも多くの外気が当たる。
【００２９】
強制対流の場合、風速の０．５乗で熱伝導率に比例するため、風速がＡ倍になると放熱量は√Ａ倍となる。従って、デフロスト運転モード時、図６（ｂ）若しくは６（ｃ）のように風が流れると、室外機の他の面によりも前面若しくは背面において、放熱量が大きくなり、熱が奪われるため、デフロスト運転により発生した除霜水が再氷結する可能性が高くなる。また、図６（ｄ）のように風が流れると、図中の左端に配置された室外機の左側面における放熱量が、当該室外機の他の側面および他の室外機の各面における放熱量よりも大きくなり、熱が奪われるため、デフロスト運転により発生した除霜水が左端に配置された室外機の左側面において再氷結する可能性が高くなる。また、図６（ｅ）のように風が流れると、図中の右端に配置された室外機の右側面における放熱量が、当該室外機の他の側面および他の室外機の各面における放熱量よりも大きくなり、熱が奪われるため、デフロスト運転により発生した除霜水が右端に配置された室外機の右側面において再氷結する可能性が高くなる。
【００３０】
実施の形態１．
図７は、本発明の実施の形態１に係る空気調和装置の冷媒回路の概略図である。上述の図１〜図３で示した冷媒回路と同一の構成要素には同一の符号が付されおり、ここでは説明を省略する。本実施の形態１の空気調和装置２００において、バイパス回路６ａには流量調節機構としての電子式膨張弁７ａと、温度検知手段としてのサーミスタ８ａが設けられている。電子式膨張弁７ａおよびサーミスタ８ａは、熱源側熱交換器３ａを介してバイパス回路６ａの二次側に設けられている。同様に、バイパス回路６ｂには流量調節機構としての電子式膨張弁７ｂと、温度検知手段としてのサーミスタ８ｂが設けられている。電子式膨張弁７ｂおよびサーミスタ８ｂは、熱源側熱交換器３ｂを介してバイパス回路６ｂの二次側に設けられている。熱源側熱交換器３ａには冷媒が流出する出口の出口温度を検出するための温度センサー９ａが設けられ、熱源側熱交換器３ｂには冷媒が流出する出口の出口温度を検出するための温度センサー９ｂが設けられている。
【００３１】
電磁弁４が開放され、かつ電子式膨張弁７ａが所定の開度となると、バイパス回路６ａに高温高圧のガス冷媒が流れ始める。バイパス回路６ａに流れたガス冷媒は、熱源側熱交換器３ａの下部において除霜水と熱交換される。その結果、高温高圧のガス冷媒は液状態に変化しながら、熱源側熱交換器３ａのバイパス回路６ａを加熱するため、除霜水の再氷結が防止される。電磁弁４が開放され、かつ電子式膨張弁７ｂが所定の開度となると、バイパス回路６ｂに高温高圧のガス冷媒が流れ始める。バイパス回路６ｂに流れたガス冷媒は、熱源側熱交換器３ｂの下部において除霜水と熱交換される。その結果、高温高圧のガス冷媒は液状態に変化しながら、熱源側熱交換器３ｂのバイパス回路６ｂを加熱するため、除霜水の再氷結が防止される。
【００３２】
図８は、空気調和装置２００の制御ブロック図である。コントローラ２０１は空気調和装置２００の全体を制御する。コントローラ２０１には、温度センサー９ａと、温度センサー９ｂと、サーミスタ８ａと、サーミスタ８ｂとが接続されている。また、コントローラ２０１には、電磁弁４と、電子式膨張弁７ａと、電子式膨張弁７ｂとが接続されている。コントローラ２０１は、デフロスト運転開始直後、若しくはデフロスト運転開始から予め設定された時間が経過した後、温度センサー９ａが検知した熱源側熱交換器３ａの出口温度が所定温度以上になったら、電磁弁４を開放する信号を電磁弁４に出力する。また、コントローラ２０１は、サーミスタ８ａの温度を検知し、電子式膨張弁７ａの開度を決定し、その結果に基づく制御信号を電子式膨張弁７ａに出力する。同様に、コントローラ２０１は、温度センサー９ｂが検知した熱源側熱交換器３ｂの出口温度が所定温度以上になったら、電磁弁４を開放する信号を電磁弁４に出力する。また、コントローラ２０１は、サーミスタ８ｂの温度を検知し、電子式膨張弁７ｂの開度を決定し、その結果に基づく制御信号を電子式膨張弁７ｂに出力する。具体的には、目標温度Ｔ＊とサーミスタ８ａ、８ｂの検知温度Ｔとの差（ΔＴ＝Ｔ＊―Ｔ）に基づいて、電子式膨張弁７ａ、７ｂの開度を決定する。コントローラ２０１は、ΔＴ＞０の場合、電子式膨張弁７ａ、７ｂの開度をアップさせる制御信号を出力し、ΔＴ＜０の場合、電子式膨張弁７ａ、７ｂの開度をダウンさせる制御信号を出力する。
【００３３】
以上のように、本実施の形態１によれば、電磁弁４の開放制御に加え、サーミスタ８ａ、８ｂの検知結果に基づく電子式膨張弁７ａ、７ｂの開度制御が行われ、バイパス回路６ａ、６ｂへの冷媒の流量が熱源側熱交換器３ａ、３ｂの周辺環境に応じて調節される。換言すると、熱源側熱交換器３ａ、３ｂのデフロスト能力がそれぞれの周辺環境に応じて調節される。従って、バイパス回路６ａ、６ｂのデフロスト負荷に応じてバイパス回路６ａ、６ｂへの冷媒流量を最適化することができる。その結果、図６（ａ）〜（ｅ）を参照して説明したように、集中設置における室外機の配置位置に起因して、熱源側熱交換器３ａ、３ｂの各面への外気の風の影響に相違があったとしても、それぞれの影響の度合いに応じて除霜水の再氷結を確実に防止することができる。
【００３４】
実施の形態２．
図１０は、本発明の実施の形態２に係る空気調和装置の冷媒回路の概略図である。上述の図１〜図３で示した冷媒回路と同一の構成要素には同一の符号が付されおり、ここでは説明を省略する。本実施の形態２の空気調和装置３００において、バイパス回路６ａには配管抵抗１５ａが設けられ、バイパス回路６ｂには配管抵抗１５ｂが設けられている。配管抵抗１５ａ、１５ｂは、例えば毛細管（キャピラリチューブ）である。バイパス回路６ａへの冷媒の流入量は配管抵抗１５ａにより定まり、バイパス回路６ｂへの冷媒の流入量は配管抵抗１５ｂにより定まっている。バイパス回路６ａ、６ｂへの冷媒の流量に差が生じるよう、配管抵抗１５ａと配管抵抗１５ｂの冷媒の流動抵抗には差がつけられている。
【００３５】
ここで、ビル用マルチエアコンにおいて複数の室外機２０が集中設置される環境が、外気の風の向きが図６（ｂ）若しくは図６（ｃ）に示すような向きである場合を例にとって説明する。図９は、本発明の実施の形態２における熱源側熱交換器を上方から示す概略図である。Ｌ字型の熱源側熱交換器３ａ、３ｂは、室外機２０の筐体内において、上方視で略矩形の枠体を形成するよう配置され、熱源側熱交換器３ａが室外機２０の正面側に位置決めされている。図９では、室外機２０の正面は紙面の下側に向いている。図９中、入口１３ａ、出口１３ｂは、それぞれ熱源側熱交換器３ａのバイパス回路６ａの入口と出口であり、入口１４ａ、出口１４ｂは、それぞれ熱源側熱交換器３ｂのバイパス回路６ｂの入口と出口である。外気の風の向きが図６（ｂ）若しくは図６（ｃ）に示すような向きである場合、熱源側熱交換器３ａの面１６ａは、熱源側熱交換器３ａが風を受ける面、熱源側熱交換器３ａの面１６ｂは、熱源側熱交換器３ｂが風を受ける面となる。
【００３６】
熱源側熱交換器３ａのバイパス回路６ａの入口１３ａは、風を受ける面１６ａの側に位置しており、熱源側熱交換器３ａの風を受ける面１６ａの部位には冷媒ガスが温度の高い状態で流れ込む。一方、熱源側熱交換器３ｂのバイパス回路６ｂの入口１４ａは、風を受ける面１６ｂと交差する側面の側に位置しており、冷媒ガスは熱源側熱交換器３ｂの側面の部位を通って、風を受ける面１６ｂの部位に流れ込む。そのため、熱源側熱交換器３ｂの面１６ｂの部位に流れ込む冷媒ガスの温度は、熱源側熱交換器３ａの面１６ａの部位に流れ込む冷媒ガスの温度に比べて低下する。従って、熱源側熱交換器３ｂのデフロスト能力を熱源側熱交換器３ａのデフロスト能力よりも大きくしなければならない。本実施の形態２では、配管抵抗１５ｂの流動抵抗を配管抵抗１５ａの流動抵抗より小さくしている。
【００３７】
このように、本実施の形態２では、ビル用マルチエアコンの集中設置において、室外機２０の熱源側熱交換器３ａおよび熱源側熱交換器３ｂのそれぞれに要求されるデフロスト能力の大小が分かっている場合、要求されるデフロスト能力に応じて流動抵抗を設定した配管抵抗１５ａと配管抵抗１５ｂが設けられている。
【００３８】
本実施の形態２によれば、部品点数の増加を抑えることができる。従って、集中設置において、配置位置により予め要求されるデフロスト能力の大小がわかっている場合に、製品コストを抑えつつ、熱源側熱交換器３ａ、３ｂにおける除霜水の再氷結を防止することができる。
【符号の説明】
【００３９】
１  圧縮機、２  流路切替装置、３ａ  熱源側熱交換器、３ｂ  熱源側熱交換器、４  電磁弁、５  アキュムレーター、６ａ  バイパス回路、６ｂ  バイパス回路、７ａ  電子式膨張弁、７ｂ  電子式膨張弁、８ａ  サーミスタ、８ｂ  サーミスタ、９ａ  温度センサー、９ｂ  温度センサー、１０ａ  室内機、１０ｂ  室内機、１０ｃ  室内機、１０ｄ  室内機、１１ａ  絞り装置、１１ｂ  絞り装置、１１ｃ  絞り装置、１１ｄ  絞り装置、１２ａ  利用側熱交換器、１２ｂ  利用側熱交換器、１２ｃ  利用側熱交換器、１２ｄ  利用側熱交換器、１３ａ  入口、１３ｂ  出口、１４ａ  入口、１４ｂ  出口、１５ａ  配管抵抗、１５ｂ  配管抵抗、１６ａ  面、１６ｂ  面、２０  室外機、１００  空気調和装置、２００  空気調和装置、２０１  コントローラ、３００  空気調和装置。
【図１】
2017195296.tif 000003
【図２】
2017195296.tif 000004
【図３】
2017195296.tif 000005
【図４】
2017195296.tif 000006
【図５】
2017195296.tif 000007
【図６】
2017195296.tif 000008
【図７】
2017195296.tif 000009
【図８】
2017195296.tif 000010
【図９】
2017195296.tif 000011
【図１０】
2017195296.tif 000012
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
圧縮機と、流路切替装置と、複数の熱源側熱交換器とを有し、これらが配管接続されている室外機と、前記室外機に接続され、対象空間の空調を行う室内機とを備える空気調和装置であって、
前記室外機は、
前記室外機の配管接続において一方は前記圧縮機の吐出側に接続され他方は前記圧縮機の吸入側に接続されている複数のバイパス回路であって、前記空気調和装置のデフロスト運転時に前記複数の熱源側熱交換器のそれぞれの下部に冷媒が流入するよう構成されている複数のバイパス回路と、
前記複数のバイパス回路にそれぞれ設けられ、前記複数のバイパス回路に流入する冷媒の流量を調節する流量調節機構とを有する空気調和装置。
【請求項２】
前記室外機は、さらに制御手段と、前記複数の熱源側熱交換器の周辺温度を検知する検知手段とを備え、
前記制御手段は、前記空気調和装置のデフロスト運転開始直後若しくはデフロスト運転開始から設定時間経過後、前記複数の熱源側熱交換器のそれぞれの前記検知手段により検知された周辺温度に基づいて前記流量調節機構を制御し、前記複数のバイパス回路に流入する冷媒の流量を調節する請求項１に記載の空気調和装置。
【請求項３】
前記流量調節機構は電子式膨張弁であり、前記制御手段は前記電子式膨張弁の開度を調節する請求項２に記載の空気調和装置。
【請求項４】
前記流量調節機構は毛細管であり、前記毛細管を介して前記複数のバイパス回路に流入する冷媒の流入量が前記複数の熱源側熱交換器のそれぞれで異なっている請求項１に記載の空気調和装置。
【国際調査報告】
2017195296.tif 000013
2017195296.tif 000014
2017195296.tif 000015
2017195296.tif 000016